(57)【要約】  【課題】  商品陳列用のフックに必要に応じて着脱することができ、安価なフックガードを提供する。  【解決手段】  一枚の薄板状素材を打ち抜き、組み立てることによって、支持部１１と上面部１２、及び前面部１３を備えたフックガード１０を形成する。該フックガード１０は支持部１１に設けられた貫通孔１１ａに陳列フック２０のアーム２１または取り付け部２２を挿通させることによって陳列フック２０に取り付けられる。この時、上面部１２と前面部１３によって、陳列フック２０のアーム２１の上方及び前方が覆われるため、フックの先端で買い物客や従業員が怪我をするのを防ぐことができる。【選択図】  図１
2005304571.tif 000002
【特許請求の範囲】
【請求項１】
陳列用フックに装着されるフックガードであって、
a)陳列フックのアーム又は取り付け部を挿通させるための少なくとも１つの貫通孔を有する支持部と、
b)該支持部に隣接し、陳列フックのアームの上方に配置される上面部と、
c)該上面部に隣接し、陳列フックのアームの先端を覆う前面部と、
を有し、全体が屈曲した薄板状に形成されていることを特徴とするフックガード。
【請求項２】
更に、上記上面部に陳列フックのアームを挿通させるための２つの貫通孔を設けたことを特徴とする請求項１に記載のフックガード。
【請求項３】
更に、上記上面部の両側辺から突出する一対の係止片を設けたことを特徴とする請求項１又は２に記載のフックガード。
【請求項４】
カードホルダ又はカードレールを備えた陳列フックに装着されるフックガードであって、
a)カードホルダ又はカードレールに差し込み可能な支持部と、
b)該支持部に隣接する連結部と、
c)該連結部に隣接し、陳列フックのアームの先端を覆う前面部と、
を有することを特徴とするフックガード。
【請求項５】
上記前面部に商品情報表示部を設けたことを特徴とする請求項１〜４のいずれかに記載のフックガード。
【発明の詳細な説明】
【技術分野】
【０００１】
本発明は、商品陳列用のフックに装着されるフックガードに関する。
【背景技術】
【０００２】
小売店などの店頭において、日用品や食品等の商品を陳列する方法として、陳列棚や陳列パネル等に設けられたフックに多数の商品を吊り下げる方法が広く用いられている。このような陳列方法は、限られた売り場スペースを有効に利用できる反面、長いアームを備えたフックを使用するため、買い物客や従業員が誤ってアームの先端で身体（特に目）を突くなどして怪我をする恐れがある。
【０００３】
そこで、このような事故を防ぐために、陳列フックのアームの上方や前方をガード部材によって覆うことが提案されている。例えば特許文献１には、商品を吊り下げるためのアームと、陳列棚などに取り付けるために該アームの基部に設けられた取り付け部、及び取り付け部に固着され、アームの周囲を取り囲むガード部材から成る商品吊り具（陳列フック）が記載されている。また、特許文献２には、陳列棚に設けられた複数の陳列フックから成るフック列に対し、該フック列の先端部の斜め上方に取り付けられるレール状のガード部材が記載されている。
【０００４】
しかし、上記特許文献１に記載のものは、陳列フックとガード部材とが一体となったものであり、既存の陳列棚などに取り付ける場合には、陳列フックごと交換する必要がある。また、不要時にガード部材のみを取り外すこともできない。特許文献２に記載のものは、既存の陳列フックに取り付けることができるガード部材であるが、部品数が多くて取り付けに手間が掛かる。また、複数のフックの並んだフック列に対して取り付けられるものであり、個々のフックに取り付けるには適していない。
更に、これらのガード付き陳列フックやガード部材は、部品数が多いため、製造に手間が掛かり、比較的高価なものとなる。そのため、上記のような陳列フックの危険性が指摘されているにも拘わらず、このようなガード付き陳列フックやガード部材はあまり普及していない。
【０００５】
【特許文献１】特開2001-252153号公報
【特許文献２】特開2003-325278号公報
【発明の開示】
【発明が解決しようとする課題】
【０００６】
本発明が解決しようとする課題は、既存の陳列フックに容易に装着することができ、安価な陳列フック用ガード部材（フックガード）を提供することにある。
【課題を解決するための手段】
【０００７】
上記課題を解決するために成された本発明に係るフックガードは、陳列用フックに装着されるフックガードであって、a)陳列フックのアーム又は取り付け部を挿通させるための少なくとも１つの貫通孔を有する支持部と、b)該支持部に隣接し、陳列フックのアームの上方に配置される上面部と、c)該上面部に隣接し、陳列フックのアームの先端を覆う前面部とを有し、全体が屈曲した薄板状に形成されていることを特徴とするものである。
【発明の効果】
【０００８】
本発明のフックガードは、支持部に設けられた貫通孔に陳列フックのアームや取り付け部を挿通させることによって、既存の陳列フックに容易に着脱することができる。
【発明を実施するための最良の形態】
【０００９】
本発明のフックガードは、支持部、上面部、前面部を有し、支持部に設けられた貫通孔に陳列フックのアーム又は取り付け部を挿通することによって既存の陳列フックに装着されるものであり、全体が屈曲した薄板状に形成されている。これは、上記各部を別個に薄板状に製造し、のり付けなどで連結することによって、結果として全体が屈曲した薄板状に形成されたものとしても良いが、一枚の薄板状素材を切り抜き、組み立てることによって、上記各部を一体に形成したものとすることが製造の手間やコストの点からより望ましい。
【００１０】
また、本発明のフックガードの素材は特に限定するものではなく、PET（ポリエチレンテレフタレート）などのプラスチックの他、厚紙や段ボールなどの紙素材や、鉄やアルミなどの金属等を用いることができる。
【００１１】
一般的な陳列フックには、陳列棚に設けられた角筒状の水平バーに取り付けられるものや、金属製のメッシュパネルに取り付けられるもの、厚紙等から成る陳列パネルに取り付けられるものなどがあり、アームの基部には取り付け対象に応じた形状の取り付け部が設けられている。本発明のフックガードは、上記支持部に設けられた貫通孔に、陳列フックのアームを該支持部の背面側から挿通させることによってフックに装着されるものとしても良く、あるいは、陳列フックを陳列パネル等から取り外し、該フックの取り付け部を上記支持部の手前側から貫通孔に挿通させた状態で、該陳列フックを陳列パネル等に取り付けることによって陳列フックに装着されるものとしても良い（図１(b)参照）。
【００１２】
また、上記支持部に貫通孔を複数個設けることによって、陳列棚に水平に並んだ複数の陳列フックに対して装着できるようにしても良い。
【００１３】
上記のような貫通孔の大きさや形状、あるいは貫通孔を複数設ける場合の貫通孔同士の間隔は、フックガードを取り付ける陳列フックのアームの直径や取り付け部の形状、陳列棚に設けられたフックの取り付け間隔等に応じたものとする。
【００１４】
更に、本発明のフックガードの前面部には、商品の価格やPOP広告を表示するための商品情報表示部を設けることが望ましい。該商品情報表示部は市販のカードホルダを前面部に貼り付けたり、前面部に広告等を直接印刷したりすることによって実現しても良く、あるいは後述のように、前面部の下端を折り返して筒状に成形し、その中に値札等を差し込むようにしても良い。後者の場合にはフックガードの少なくとも前面部を透明な素材によって形成する。
【００１５】
また、本発明に係るフックガードは、値札等を保持するためのカードホルダやカードレールを備えた陳列フックに取り付けられるものとし、該カードホルダやカードレールに差し込み可能な支持部と、該支持部に隣接する連結部と、該連結部に隣接し、陳列フックのアームの先端を覆う前面部とから成るものとしても良い。
【実施例１】
【００１６】
図１は本発明のフックガードの第１の実施例を示す図である。本実施例のフックガード１０は、厚紙から成る陳列パネル３０上に水平に並んだ２本のフック２０に対して取り付けられるものであり、該陳列フック２０の取り付け部２２を挿通させるための２つの貫通孔１１ａを備えた支持部１１と、上面部１２、及び前面部１３を備えている。以下、図１に示す太い矢印の方向から見た場合を基準に、前後、左右、上下を定義する。
【００１７】
本実施例のフックガード１０は、透明なPET素材から成る一枚のシートを、図１(c)に示す展開図のように切り抜いて組み立てることによって形成されるものである。支持部１１の上辺には、折れ線を介して上面部１２が設けられ、該上面部１２の他端には、折れ線を介して前面部１３が設けられている。
また更に、前面部１３の他端には折れ線を介して傾斜部１４が設けられており、傾斜部１４の他端には折れ線を介してのり付け部１５が設けられている。なお、使用時の組み立てを容易にするため、これらの折れ線は製造時にプレスなどによって形成しておくことが望ましい。
【００１８】
本実施例のフックガード１０を組み立てる際には、支持部１１と上面部１２との間の折れ線を略垂直に折り曲げることにより上面部１２を手前に突出させ、続いて上面部１２と前面部１３との間の折り曲げ線を下向き略垂直に折り曲げる。更に残りの２本の折れ線を折り曲げ、のり付け部１５を上面部１２の裏側（下向きの面）に接着する。これにより前面部１３と傾斜部１４、及び上面部１２（のり付け部１５）によって囲まれた三角形の筒状の先端保護部１６が形成される。なお、接着の際にのり付け部１５を押さえやすくするために、傾斜部１４の中央には、指を入れられる大きさの貫通孔１４ｂを設けることが望ましい。更に、傾斜部１４にはアーム２１の先端に対応する位置に貫通孔１４ａを設け、アーム２１の先端が上記先端保護部１６に自由に出入りできるようにする。該貫通孔１４ａにアーム２１の先端を挿通させることにより、前面部１３を位置決めし、前面部１３が左右にずれるのを防止する効果もある。
【００１９】
本実施例のフックガード１０を上記陳列パネル用の陳列フック２０に取り付ける際には、陳列パネル３０から陳列フック２０を取り外し、貫通孔１１ａにフック２０の取り付け部２２を挿通させた状態で、フック２０を陳列パネル３０に取り付ける。これにより、図１(b)に示すように、パネル３０と陳列フック２０の基部との間に本実施例のフックガード１０の支持部１１が挟まれた状態で固定される。アーム２１に商品を吊り下げる際には、フックガード１０の前面部１３等を把持して上方に持ち上げ、支持部１１と上面部１２との間の折れ線を軸に上面部１２を回動させることによってアーム２１の先端を露出させる。
【００２０】
上述のような三角形の筒状の先端保護部１６を設けたことにより、強度が増すだけでなく、上記先端保護部１６が重りの役割を果たし、上面部１２がアーム２１から浮き上がった状態となるのを防ぐことができる。また、フック２１に吊り下げられた商品を取り外す際に、商品を手前に引き出してその上部を傾斜部１４と当接させることにより、上面部１２が押し上げられるため、フックガード１０に手を触れることなく、商品を取り外すことができる。また、本実施例のフックガード１０は透明なPET素材から成るため、図１(a)に示すように、先端保護部１６に値札やPOP広告１７などを挿入することによって前面部１３に商品の価格や宣伝等を表示することができる。
【実施例２】
【００２１】
図２は、本発明のフックガードの第２の実施例を示す図である。実施例１と同様の構成については同一符号を付し、説明を省略する。本実施例のフックガード４０は、図２(a)のように、１つの陳列フック２０に対して取り付けられるものであり、支持部１１に設けられた１つの貫通孔１１ａに加えて、更に上面部１２にも陳列フック２０のアーム２１を通すための２つの貫通孔１２ａ、１２ｂを備えている。本実施例のフックガード４０を陳列フック２０に取り付ける際には、まず支持部１１の裏側から、貫通孔１１ａにアーム２１を通し、続いて上面部１２に設けられた貫通孔１２ａに、アーム２１を該上面部１２の下側から通し、更に貫通孔１２ｂにアーム２１を上面部１２の上側から挿通させる。以上のように、支持部１１の貫通孔１１ａに通したアーム２１を、更に上面部に設けられた２つの貫通孔１２ａ、１２ｂに、上面部１２を縫うように挿通させることにより、フックガード４０がしっかりとアーム２１に固定され、商品をフック２０から取り外す際などに、フックガードが前方にせり出してくるのを防ぐことができる。なお、本実施例のフックガード４０を装着した陳列フック２０において、商品の取り付け・取り外しを行う際には、前面部１３等を手で把持して持ち上げるか、アーム２１に吊り下げられた商品を手前に引き出し、該商品の上部を傾斜部１４と当接させて上面部１２を押し上げることによって、上面部１２を上方に撓ませてアーム２１の先端を露出させることができる。
【実施例３】
【００２２】
図３は、本発明のフックガードの第３の実施例を示す図である。本実施例のフックガード５０は、上記第２実施例のフックガード４０の変形例であり、図３(a)に示すような、上下２本のアーム２１、２３を備えた陳列フック２０に取り付けられるものである。このような陳列フック２０においては、下側のアーム２１に商品が吊り下げられ、上側のアーム２３の先端に値札カード等を保持するためのカードホルダ２４又はカードレール（図４参照）が取り付けられる。本実施例のフックガード５０は、図３(b)の展開図に示すように、上面部１２の左右両側辺に、突起状の係止片１２ｃを備えており、上記実施例２と同様にして該フックガード５０を陳列フック２０に取り付けた後、該係止片１２ｃを上方略垂直に折り曲げてカードホルダ２４又はカードレールの後方に位置させる。これにより商品を取り外す際にフックガード５０が前方に動いても、上記係止片１２ｃがカードホルダ２４やカードレールの背面に当接するため、フックガードのせり出しをより確実に防ぐことができる。
【実施例４】
【００２３】
図４は、本発明のフックガードの第４の実施例を示す図である。本実施例のフックガード６０は上記実施例３と同様に上下２本のアーム２１、２３と、カードレール２５又はカードホルダを備えた陳列フック２０に取り付けられるものであり、カードレール２５又はカードホルダに差し込まれる支持部６１と、該支持部６１に隣接する連結部６２と、該連結部６２に隣接する前面部６３とを備えている。本実施例のフックガード６０は、上記支持部６１をカードレール２５やカードホルダに差し入れることによって、容易に陳列フック２０に装着することができ、これにより、連結部６２と前面部６３がそれぞれ下側のアーム２１の斜め上方と前方に配置され、買い物客や従業員がアーム２１の先端で怪我をするのを防ぐことができる。なお、本実施例のフックガード６０をカードレール２５に取り付ける場合には、支持部６１の上辺に突起６１ａを設け、カードレール２５の下辺に設けられた溝２５ａに支持部６１の下辺を、カードレール２５の上辺に設けられた溝２５ｂに該突起６１ａを係合させるようにすることが望ましい。
本実施例のフックガード６０は、形状が単純でサイズも小さいため、より低コストで製造することができる。
【図面の簡単な説明】
【００２４】
【図１】本発明のフックガードに係る第１の実施例を示す図であり、(a)は斜視図、(b)は側面断面図、(c)は展開図である。
【図２】本発明のフックガードに係る第２の実施例を示す図、(a)斜視図(b)展開図。
【図３】本発明のフックガードに係る第３の実施例を示す図、(a)斜視図(b)展開図。
【図４】本発明のフックガードに係る第４の実施例を示す図、(a)斜視図(b)展開図。
【符号の説明】
【００２５】
１０、４０、５０、６０…フックガード
１１、６１…支持部
１１ａ、１２ａ、１２ｂ、１４ａ、１４ｂ…貫通孔
１２…上面部
１２ｃ…係止片
１３、６３…前面部
１４…傾斜部
１５…のり付け部
１６…先端保護部
１７…POP広告
２０…陳列フック
２１、２３…アーム
２２…取り付け部
２４…カードホルダ
２５…カードレール
６２…連結部
【図１】
2005304571.tif 000003
【図２】
2005304571.tif 000004
【図３】
2005304571.tif 000005
【図４】
2005304571.tif 000006